(57)【特許請求の範囲】
【請求項１】
筐体と
前記筐体内に位置する質量部材であって、前記筐体が加速イベントを受けたことに応答して、前記筐体内で前記質量部材を第１の位置から第２の位置へ移動することが可能となるように前記筐体が構成される、質量部材と、
前記筐体内に配置され、前記質量部材を前記第１の位置へ付勢するように構成された第１および第２のばね部材と
を備え、前記筐体が前記加速イベントを受けたことに応答して、前記質量部材が、前記第１のばね部材の付勢力に打ち勝ち、前記第１の位置から前記第２の位置へ移動するように構成され、前記第１および第２のばね部材のうち少なくとも一方により前記質量部材が前記第２の位置に保持される、
衝撃表示器。
【請求項２】
前記質量部材が前記第１の位置にあるときに、前記第１および第２のばね部材が互いの方へ付勢される、請求項１に記載の衝撃表示器。
【請求項３】
前記筐体が前記加速イベントを受けたことに応答して、前記第１および第２のばね部材が同じ方向に付勢され、前記質量部材を前記第２の位置で保持するように前記質量部材を支持する、請求項２に記載の衝撃表示器。
【請求項４】
前記筐体が窓を備え、前記筐体が前記加速イベントを経験したことを表示する前記質量部材の移動の視覚的な表示を可能にする、請求項１に記載の衝撃表示器。
【請求項５】
前記質量部材の幅より長い長さを有し、前記質量部材の移動方向を横切るように配置される板ばね部材を、前記第１および第２のばね部材がそれぞれ備える、請求項１に記載の衝撃表示器。
【請求項６】
前記第１の位置から前記第２の位置への前記質量部材の移動のための平行移動経路を形成する複数の側壁を前記筐体が備え、前記質量部材が前記第１の位置にあるとき、前記第１および第２のばね部材の各端部が前記側壁内に位置するそれぞれの座部に配置される、請求項１に記載の衝撃表示器。
【請求項７】
前記筐体が前記加速イベントを受けたことに応答して、前記第２のばね部材が、前記側壁内のそれぞれの座部から引き出され、前記側壁内に形成された窪みによって、前記側壁内の前記第２のばね部材の座部へ復帰するのを防止する、請求項６に記載の衝撃表示器。
【請求項８】
前記質量部材が前記第１および第２のばね部材の前記付勢に打ち勝つような別の加速イベントを前記筐体が受けたことに応答して、前記質量部材を前記第２の位置から前記第１の位置を通って第３の位置へ移動させるように前記第１および第２のばね部材が構成される、請求項３に記載の衝撃表示器。
【請求項９】
前記筐体が、前記第２および第３の位置のそれぞれに位置する窓を備え、前記第２または第３の位置のいずれかに位置する前記質量部材の視覚的な表示を可能にする、請求項８に記載の衝撃表示器。
【請求項１０】
前記第１および第２のばね部材が、同じ方向に付勢され、前記質量部材を前記第３の位置で保持するように前記質量部材を支持する、請求項８に記載の衝撃表示器。
【請求項１１】
筐体と、
前記筐体内に位置する質量部材であって、前記筐体内の前記質量部材の移動のための平行移動経路を形成する複数の側壁を前記筐体が備える、質量部材と、
前記側壁上のそれぞれの座部位置に位置する端部を有する少なくとも１つのばね部材であって、前記質量部材を前記筐体内の第１の位置で保持するばね部材と
を備え、
前記筐体が加速イベントを受けたことに応答して、
前記質量部材が、前記筐体内で前記第１の位置から第２の位置へ移動するように構成され、
前記ばね部材の前記端部が前記座部位置から引き出され、前記質量部材が前記第１の位置に再設置されるのを防止する、
衝撃表示器。
【請求項１２】
前記側壁内に形成された窪みによって、前記ばね部材の前記端部が前記それぞれの座部位置へ復帰するのを防止する、請求項１１に記載の衝撃表示器。
【請求項１３】
前記質量部材の幅より長い長さを有し、前記質量部材の移動方向を横切るように配置される板ばね部材を、前記ばね部材が備える、請求項１１に記載の衝撃表示器。
【請求項１４】
前記ばね部材が、前記質量部材の中央部分を横切って延びる、請求項１１に記載の衝撃表示器。
【請求項１５】
筐体と、
前記筐体内に位置する質量部材であって、前記筐体が加速イベントを受けたことに応答して前記質量部材を移動することが可能となるように前記筐体が構成される、質量部材と、
前記質量部材を非活動位置へ付勢するように構成された第１および第２のばね部材と
を備え、
前記筐体が第１の方向の第１の加速イベントを受けたことに応答して、前記質量部材が、付勢に打ち勝ち、前記非活動位置から第１の活動位置へ移動するように構成され、
前記筐体が前記第１の方向とは反対の第２の方向の第２の加速イベントを受けたことに応答して、前記質量部材を前記第１の活動位置から第２の活動位置へ移動させるように前記第１および第２のばね部材が構成され、前記第１および第２のばね部材のうち少なくとも一方により前記質量部材が前記非活動位置に再設置されるのを防止する、
衝撃表示器。
【請求項１６】
前記質量部材の幅より長い長さを有し、前記質量部材の移動方向を横切るように配置される第１および第２の板ばね部材を、前記第１および第２のばね部材がそれぞれ備える、請求項１５に記載の衝撃表示器。
【請求項１７】
前記非活動位置で、前記第１および第２のばね部材が互いの方へ付勢される、請求項１５に記載の衝撃表示器。
【請求項１８】
前記筐体内の前記質量部材の移動のための平行移動経路を形成する複数の側壁を前記筐体が備え、前記質量部材が前記非活動位置に位置するときに前記側壁上のそれぞれのノッチ座部位置内に位置する端部を、前記第１および第２のばね部材がそれぞれ有し、前記質量部材が前記第１の活動位置へ移動したことに応答して、前記第１のばね部材の端部が、それぞれのノッチ座部位置から引き出される、請求項１５に記載の衝撃表示器。
【請求項１９】
前記質量部材が前記第１の活動位置から前記第２の活動位置へ移動したことに応答して、前記第２のばね部材の端部が、それぞれのノッチ座部位置から引き出される、請求項１８に記載の衝撃表示器。
【請求項２０】
前記側壁が、前記ノッチ座部位置間に配置された中央ノッチ座部位置を備え、前記質量部材が前記非活動位置に位置するときに前記第１および第２のばね部材の端部を保持し、
前記質量部材が前記第１の活動位置に位置したことに応答して、前記第１のばね部材の端部が前記中央ノッチ座部位置に位置し、
前記質量部材が前記第１の活動位置から前記第２の活動位置へ移動したことに応答して、前記第１および第２のばね部材の端部が前記中央ノッチ座部位置に位置する、請求項１９に記載の衝撃表示器。
【発明の詳細な説明】
【背景技術】
【０００１】
多くのタイプの物体は、物体の繊細さまたは脆弱性のため、製造、貯蔵、または運送中に監視する必要がある。たとえば、いくつかのタイプの物体は、落下した場合、または著しい衝撃を受けた場合、損傷を受けやすいことがある。したがって、品質管理の目的および／または輸送状態の一般的な監視のため、物体が露出されている環境状態を判定および／または検証することが望ましい。
【発明の概要】
【課題を解決するための手段】
【０００２】
本開示の一態様によれば、衝撃検出のためのデバイスおよび技法が開示される。衝撃表示器は、筐体と、筐体内に位置する質量部材であって、筐体が加速イベントを受けたことに応答して、筐体内で質量部材を第１の位置から第２の位置へ移動することが可能となるように筐体が構成される、質量部材と、筐体内に配置され、質量部材を第１の位置へ付勢するように構成された第１および第２のばね部材とを含む。筐体が加速イベントを受けたことに応答して、質量部材が、第１のばね部材の付勢力に打ち勝ち、第１の位置から第２の位置へ移動するように構成され、第１および第２のばね部材はそれぞれ、質量部材の中央部分を横切って延びる。
【０００３】
本開示の別の実施形態によれば、衝撃表示器は、筐体と、筐体内に位置する質量部材であって、筐体内の質量部材の移動のための平行移動経路を形成する複数の側壁を筐体が備える、質量部材と、側壁上のそれぞれの座部位置に位置する端部を有する少なくとも１つのばね部材であって、質量部材を筐体内の第１の位置で保持するばね部材とを含む。筐体が加速イベントを受けたことに応答して、質量部材が筐体内で第１の位置から第２の位置へ移動するように構成され、ばね部材の端部は、座部位置から引き出され、質量部材が第１の位置に再設置されるのを防止する。
【０００４】
本開示のさらに別の実施形態によれば、衝撃表示器は、筐体と、筐体内に位置する質量部材であって、筐体が加速イベントを受けたことに応答して質量部材を移動することが可能となるように筐体が構成される、質量部材と、質量部材を非活動位置へ付勢するように構成された第１および第２のばね部材とを含む。筐体が第１の方向の第１の加速イベントを受けたことに応答して、質量部材が、付勢に打ち勝ち、非活動位置から第１の活動位置へ移動するように構成され、筐体が第１の方向とは反対の第２の方向の第２の加速イベントを受けたことに応答して、質量部材を第１の活動位置から第２の活動位置へ移動させるように第１および第２のばね部材が構成される。
【０００５】
本出願、本出願の目的および利点をより完全に理解するために、添付の図面と併せて以下の説明を次に参照する。
【図面の簡単な説明】
【０００６】
【図１】図１Ａおよび図１Ｂは、本開示による衝撃表示器の一実施形態のそれぞれの前面図および背面図を示す図である。
【図２】図２Ａおよび図２Ｂは、本開示による図１Ａおよび図１Ｂの衝撃表示器のそれぞれの前面図および背面図を活動状態で示す図である。
【図３Ａ】本開示による図２Ｂに示す衝撃表示器の一部分の拡大図を示す図である。
【図３Ｂ】本開示による図３Ａに示す衝撃表示器の一部分の拡大図を示す図である。
【図４Ａ】本開示による図１Ａおよび図１Ｂの衝撃表示器の一部分の拡大図を活動状態で示す別の図である。
【図４Ｂ】本開示による図４Ａに示す衝撃表示器の一部分の拡大図を示す図である。
【図５Ａ】本開示による衝撃表示器の別の実施形態を示す図である。
【図５Ｂ】本開示による図５Ａに示す衝撃表示器の一部分の拡大図を示す図である。
【図６】本開示による図５Ａおよび図５Ｂに示す衝撃表示器の一部分の拡大図を活動状態で示す図である。
【図７Ａ】本開示による図５Ａおよび図５Ｂに示す衝撃表示器の一部分の拡大図を別の活動状態で示す図である。
【図７Ｂ】本開示による図７Ａに示す衝撃表示器の一部分の拡大図を示す図である。
【図８】本開示による図１Ａおよび図１Ｂに示す衝撃表示器の質量部材の一実施形態を示す図である。
【図９】図９Ａおよび図９Ｂは、本開示による図１Ａおよび図１Ｂに示す衝撃表示器のそれぞれの非活動状態および活動状態を、図８に示す質量部材とともに示す図である。
【図１０】本開示による図１Ａおよび図１Ｂに示す衝撃表示器の質量部材の別の実施形態を示す図である。
【図１１】本開示による衝撃表示器に対する質量部材の別の実施形態を示す図である。
【図１２】図１２Ａおよび図１２Ｂは、本開示による衝撃表示器のそれぞれの非活動状態および活動状態を、図１１に示す質量部材とともに示す図である。
【発明を実施するための形態】
【０００７】
本開示の実施形態は、衝撃検出および表示のためのデバイスおよび技法を提供する。一実施形態によれば、衝撃表示器は、筐体と、筐体内に位置する質量部材であって、筐体が、筐体が加速イベントを受けたことに応答して筐体内で質量部材を第１の位置から第２の位置へ移動させるように構成される、質量部材と、筐体内に配置され、質量部材を第１の位置へ付勢するように構成された第１および第２のばね部材とを含む。筐体が加速イベントを受けたことに応答して、質量部材は、第１のばね部材の付勢力に打ち勝ち、第１の位置から第２の位置へ移動するように構成され、第１および第２のばね部材はそれぞれ、質量部材の中央部分を横切って延びる。本開示の実施形態は、衝撃および／または加速イベントの検出を可能にしながら、所定のレベルまたは大きさの衝撃が発生した後は衝撃表示器１０の状態の再設定を防止または実質上防止する。たとえば、いくつかの実施形態では、表示器１０の質量部材３０は、加速イベントに応答して非活動位置から活動位置へ移動するように構成される。表示器１０が、表示器１０を非活動状態に再設定しようとして生じうる加速イベント（たとえば、質量部材３０を逆方向へ移動させるのに十分なレベルまたは大きさ）を受けた場合、質量部材３０は、ある活動位置から別の活動位置へ移動する。
【０００８】
次に図を参照し、特に図１Ａおよび図１Ｂを参照すると、本開示の例示的な実施形態を実施できる衝撃表示器１０の例示的な図が提供されている。図１Ａは衝撃表示器１０の正面図を示す図であり、図１Ｂは衝撃表示器１０の背面図を示す図である。図１Ａおよび図１Ｂでは、表示器１０は、物体を収容する輸送コンテナに添付されるように、またはその輸送コンテナ内に配置されるように構成された携帯型のデバイスであり、この物体に関連する衝撃および／または加速イベントが監視される。衝撃表示器１０の実施形態は、物体が物体の製造、貯蔵、および／または輸送中に衝撃または何らかのレベルの加速イベントに露出されたかどうかを監視する。いくつかの実施形態では、衝撃表示器１０は、たとえば接着材料、永久的もしくは一時的な留め具、または様々な異なるタイプの取付けデバイスを使用して、輸送コンテナに添付することができる。輸送コンテナは、監視される物体が緩く配置されているコンテナを含むことができ、または監視される物体自体のコンテナを構成することができる。図１Ａおよび図１Ｂは単なる例示であり、異なる実施形態を実施できる環境に関していかなる限定も主張または示唆しようとするものではないことを理解されたい。
【０００９】
図１Ａおよび図１Ｂに示す実施形態では、衝撃表示器１０は筐体１２を備え、筐体１２内には検出アセンブリ１４が配置される。図示の実施形態では、検出アセンブリ１４は、図１Ｂで表示器１０に対して方向１６または方向１８で示す２つの異なる方向（すなわち、方向１６／１８、または対応する方向１６／１８の方向ベクトル成分を有する検出アセンブリ１４に対する角度）のいずれかで、衝撃または加速イベントを検出および表示するように構成される。しかし、アセンブリ１４は、単一の方向に対応する衝撃イベントを検出／表示するように構成できることを理解されたい（以下でさらに説明）。さらに、表示器１０内には、追加の方向の衝撃検出／表示を提供するために、追加の検出アセンブリ１４を含むこともできることを理解されたい。
【００１０】
いくつかの実施形態では、筐体１２は、透明または半透明の材料から構成および／または構築され、この材料の前面側にはマスキングラベル２０が位置し、または材料に添付されている（図１Ａ）。いくつかの実施形態では、マスキングラベル２０は、衝撃検出の視覚的な表示を提供するための１つまたは複数の開口または「窓」２２を有するように構成される。たとえば、以下でさらに説明するように、表示器１０が何らかの所定のレベルの衝撃または加速イベントを被り、または受けたことに応答して、検出アセンブリ１４は、１つもしくは複数の窓２２の中に、または１つもしくは複数の窓２２を通じて、視覚的な表示を表させて、監視される物体が何らかのレベルの衝撃を被り、または被った可能性があるという視覚的な表示を提供する。しかし、他の方法を使用して、検出アセンブリ１４が活動状態へ移動し、かつ／または別の方法で活動状態になったという視覚的な表示を提供し、表示器１０が振動、衝撃、または加速イベントを経験したことを表示することもできることを理解されたい。また、筐体１２は、他の材料（たとえば、１つまたは複数の窓２２が形成された不透明の材料）から構成および／または製造できることも理解されたい。
【００１１】
図１Ｂを参照すると、検出アセンブリ１４を非活動状態または最初の検出前状態（すなわち、加速イベントを被る前）で示す。図示の実施形態では、検出アセンブリ１４は、重量または質量部材３０と、ばね部材４０および４２とを備える。筐体１２は、質量部材３０の両側に位置する側壁４６および４８を備える。側壁４６および４８は、筐体１２または表示器１０が加速イベントを被ったことに応答して筐体１２内で質量部材３０の移動を可能にする平行移動経路を形成する。たとえば、図１Ｂでは、質量部材３０は、筐体１２内の非活動位置５０に位置する。さらに、図１Ａを参照すると、質量部材３０の中央表面部分５２が窓２２内に位置し、かつ／または別の方法で窓２２内に見える。
【００１２】
図１Ｂに示す実施形態では、ばね部材４０および４２は、表示器１０の検出前状態で、質量部材３０を非活動位置５０へ付勢する。たとえば、図示の実施形態では、ばね部材４０および４２は、それぞれ板ばね５６および５８を構成するが、他のタイプの付勢要素も使用できることを理解されたい。図１Ｂでは、側壁４６内に、板ばね５６および５８のそれぞれの端部６８および７０を保持するための凹部または座部６２および６４が形成されている。側壁４８内には、板ばね５６および５８のそれぞれの端部８０および８２を保持するための凹部または座部７４および７６が形成されている。板ばね５６および５８は、質量部材３０の幅より長い長さを有するように形成される（たとえば、側壁４６から側壁４８の方向に測定される）。板ばね５６の端部６８および８０は、板ばね５６が質量部材３０の移動経路を横切る向きに位置決めされるように、それぞれの座部６２および７４内に位置する。板ばね５８の端部７０および８２は、板ばね５８が質量部材３０の移動経路を横切る向きに位置決めされるように、それぞれの座部６４および７６内に位置する。たとえば、側壁４６および４８によって形成される平行移動経路は、１６および１８で示す方向に質量部材３０の移動を可能にする。
【００１３】
板ばね５６の端部６８および８０は、座部６２および８０内に位置し、板ばね５８の端部７０および８２は、それぞれの座部６４および７６内に位置し、その結果、板ばね５６および５８は、互いに対向する凸状表面を有する。したがって、図示の実施形態では、板ばね５６および５８は、互いの方へ付勢されている。図１Ｂに示す実施形態では、板ばね５６および５８はそれぞれ、質量部材３０の弧状に形成された対向する壁８８と９０との間で、質量部材３０の中央部分を横切って横方向に延びる。板ばね５６および５８は、互いの方へ付勢され、質量部材３０を非活動位置５０で支持する（たとえば、板ばね５６および５８は、質量部材３０を非活動位置５０で保持するように、質量部材３０のそれぞれの壁８８および９０に接触して支持する）。質量部材３０は、別の方法で形成することもでき、かつ／またはばね部材４０および４２は、質量部材３０を非活動位置５０へ保持および／もしくは付勢するように、質量部材３０に対して別の方法で構成および／もしくは位置決めすることができることを理解されたい。
【００１４】
図２Ａおよび図２Ｂは、図１Ａおよび図１Ｂに示す表示器１０のそれぞれの前面図および背面図を活動状態で示す図である。図２Ａおよび図２Ｂに示す実施形態では、表示器１０および／または筐体１２は、ばね部材４０および４２の付勢力に打ち勝ち、それによって質量部材３０を非活動位置５０から活動位置９６へ移動させるレベルおよび／または大きさの、方向１６に対応する方向の衝撃および／または加速イベントを被っている。加速イベントに応答して、板ばね５６は反転し、板ばね５６の凸状部分は、質量部材３０の壁８８に付勢力を加えて、質量部材３０を活動位置９６へ付勢する。さらに、加速イベントおよび活動位置９６への質量部材３０の移動に応答して、板ばね５８の端部７０および８２は、それぞれの座部６４および７６から引き出される。図２Ａに最もよく示すように、活動位置９６では、質量部材３０のうち、質量部材３０が非活動位置５０にあるときとは異なる部分が、窓２２内に位置し、かつ／または別の方法で窓２２内に見える。たとえば、非活動位置５０では、質量部材３０の中央部分（たとえば、中央表面部分５２（図１Ａ））が、窓２２内に位置し、かつ／または別の方法で窓２２内に見える。しかし、活動位置９６への質量部材３０の移動に応答して、中央表面部分５２に隣接して位置する表面部分９８が、窓２２内に位置し、かつ／または別の方法で窓２２内に見える。以下でさらに説明するように、質量部材３０は、表示器１０が特定のレベルまたは大きさの加速イベント／衝撃を被ったかどうかに関する表示を提供するために、質量部材３０上の異なる位置で、質量部材３０のうち窓２２に面する側に、筐体１２内の質量部材３０の非活動位置および活動位置に対応する異なるタイプおよび／または形状の印を収容することができる。
【００１５】
図３Ａは、表示器１０の図２Ｂの一部分の拡大図を示す図であり、図３Ｂは、表示器１０の図３Ａの一部分の拡大図を示す図である。上記の図２Ｂ、図３Ａ、および図３Ｂを参照すると、ばね部材４０および４２の付勢力に打ち勝つレベルおよび／または大きさの方向１６の加速イベントに応答して、板ばね５６は反転し、板ばね５６の凸状部分は、質量部材３０の壁８８に付勢力を加えて、質量部材３０を活動位置９６へ付勢する。さらに、板ばね５８の端部７０および８２は、それぞれの座部６４および７６から引き出される。図３Ａおよび図３Ｂに最もよく示すように、側壁４６および４８内にはそれぞれ窪み領域１０２および１０４が形成され、窪み領域１０２および１０４は、それぞれ側壁４６および４８の隣接する壁面１０６、１０８、１１０、および１１２から後退し、かつ／またはずれている。窪み領域１０２は、座部６２と６４との間で側壁４６に沿って位置し、窪み領域１０４は、座部７４と７６との間で側壁４８に沿って位置する。活動位置９６への質量部材３０の移動に応答して、板ばね５８の端部７０および８２は、それぞれの座部６４および７６から引き出され、それぞれの窪み領域１０２および１０４内に位置決めされる。窪み領域１０２および１０４は、板ばね５８の端部７０および８２がそれぞれの座部６４および７６へ復帰するのを防止または実質上防止する。したがって、表示器１０が活動状態についた後、質量部材３０を非活動位置５０に再設定および／または再位置決めしようとして方向１６とは反対の方向（たとえば、方向１８）の別の加速イベントを被った場合、窪み領域１０２および１０４は、座部６４および７６への板ばね５８の端部７０および８２の復帰に抵抗し、それによって方向１６の追加の付勢力をもたらす。非活動位置５０の方への質量部材３０の移動を実現するには、この追加の付勢力に逆方向で打ち勝つ必要があるはずである。
【００１６】
図４Ａは、表示器１０の一部分の拡大図を示す図であり、質量部材３０は、別の活動位置１１６（たとえば、筐体１２のうち、活動位置９６の反対側）に位置し、図４Ｂは、図４Ａの一部分の拡大図を示す図である。見やすいように、図１Ｂを参照すると、質量部材３０は非活動位置５０に示されている。図１Ｂでは活動位置９６および１１６を参照し、活動位置９６および１１６にあるときに質量部材３０が位置する筐体１２内の位置を示す。図４Ａおよび図４Ｂを参照すると、表示器１０が方向１６の加速イベントを被り、それにより質量部材３０を活動位置９６（図２Ｂ）へ移動させ、その後、板ばね５６および５８によって加えられる力（複数可）に打ち勝つレベルおよび／または大きさの方向１８の別の加速イベント（たとえば、質量部材３０を非活動位置５０に再設置しようとする無許可の試み、または何らかの他の衝撃イベントへの応答）を被った場合、板ばね５６および５８はどちらもつぶれ、または反転し、質量部材３０は、活動位置９６から非活動位置５０を通って活動位置１１６へ移動する。たとえば、板ばね５６および５８によって加えられる力（複数可）に打ち勝つレベルおよび／または大きさの方向１８の加速イベントに応答して、板ばね５６および５８はどちらもつぶれ、または反転し、その結果、板ばね５６および５８の凸状部分は、質量部材３０の壁９０に付勢力を加えて、質量部材３０を活動位置１１６へ付勢する。さらに、板ばね５６の端部６８および８０は、それぞれの座部６２および７４から引き出され、それぞれの窪み領域１０２および１０４内に位置決めされる。したがって、活動位置９６から活動位置１１６への質量部材３０の移動に応答して、板ばね５６および５８は、同じ方向に（たとえば、質量部材３０の壁９０の方へ）付勢され、それぞれの板ばね５６および５８の端部６８、７０、８０、および８２は、それぞれ窪み領域１０２および１０４内に位置して、板ばね５６および５８が座部６２、６４、７４、または７６へ復帰するのを防止または実質上防止し、それによって活動状態についた後に質量部材３０が非活動位置５０へ復帰する（維持された継続状態で）のをさらに防止または実質上防止する。
【００１７】
図５Ａは、本開示による表示器１０の別の実施形態を示す図であり、図５Ｂは、表示器１０の図５Ａの一部分の拡大図を示す図である。図５Ａおよび図５Ｂに示す実施形態では、側壁４６および４８内にはそれぞれ、それぞれ追加のばね座部１２０および１２２が形成されている。座部１２０は、座部６２と６４との間で側壁４６に沿って位置し、座部１２２は、座部７４と７６との間で側壁４８に沿って位置する。座部６２、６４、７４、および７６と同様に、座部１２０および１２２は、表示器１０が質量部材３０の移動を引き起こすのに十分な大きさの衝撃または加速イベントを被ったことに応答して、それぞれの板ばね５６および５８の端部６８／８０および７０／８２を受け取るために、それぞれの側壁４６および４８に沿って凹状領域を備える（たとえば、図２Ａ、図３Ａ、図３Ｂ、図４Ａ、および図４Ｂに関連して上述）。たとえば、図６は、図５Ａおよび図５Ｂに示す表示器１０を、質量部材３０が活動位置９６に位置する状態で示す図である。板ばね５６および５８は、質量部材３０の移動のための平行移動経路の横方向の幅より長い長さを有するように構成されるため、板ばね５６および５８の端部は、側壁４６と４８との間で最も広い横方向の寸法を探し、そこで張力を解放する。したがって、たとえば、表示器１０が板ばね５６および５８の付勢力に打ち勝つのに十分な大きさの方向１６の加速イベントを被ったことに応答して、質量部材３０は非活動位置５０から活動位置９６の方へ移動し、板ばね５６はつぶれ、かつ／または反転し、質量部材３０の壁８８の方へ付勢力を加え、板ばね５８の端部７０および８２は、それぞれの座部６４および７６から引き出されて、それぞれの座部１２０および１２２に位置する。座部１２０および１２２、１０２および１０４は、板ばね５８の端部７０および８２がそれぞれの座部６４および７６へ復帰するのを防止または実質上防止する。したがって、表示器１０が活動状態についた後、質量部材３０を非活動位置５０に再設定および／または再位置決めしようとして方向１６とは反対の方向（たとえば、方向１８）の別の加速イベントを被った場合、窪み領域１０２および１０４は、座部６４および７６への板ばね５８の端部７０および８２の復帰に抵抗し、それによって方向１６の追加の付勢力をもたらす。非活動位置５０の方への質量部材３０の移動を実現するには、この追加の付勢力に逆方向で打ち勝つ必要があるはずである。
【００１８】
図７Ａは、図５Ａ、図５Ｂ、および図６の表示器１０の一部分の拡大図を示す図であり、質量部材３０は、活動位置１１６に位置し、図７Ｂは、図７Ａの一部分の拡大図を示す図である。表示器１０が方向１６の加速イベントを被り、それにより質量部材３０を活動位置９６（図６）へ移動させ、その後、板ばね５６および５８によって加えられる力（複数可）に打ち勝つレベルおよび／または大きさの方向１８の別の加速イベント（たとえば、質量部材３０を非活動位置５０に再設置しようとする無許可の試み、または何らかの他の衝撃イベントへの応答）を被った場合、板ばね５６および５８はどちらもつぶれ、または反転し、質量部材３０は、活動位置９６から非活動位置５０を通って活動位置１１６へ移動する。たとえば、板ばね５６および５８によって加えられる力（複数可）に打ち勝つレベルおよび／または大きさの方向１８の加速イベントに応答して、板ばね５６および５８はどちらもつぶれ、または反転し、その結果、板ばね５６および５８の凸状部分は、質量部材３０の壁９０に付勢力を加えて、質量部材３０を活動位置１１６へ付勢する。さらに、板ばね５６の端部６８および８０は、それぞれの座部６２および７４から引き出され、それぞれの座部１２０および１２２内に位置決めされる。したがって、活動位置９６から活動位置１１６への質量部材３０の移動に応答して、板ばね５６および５８は、同じ方向に（たとえば、質量部材３０の壁９０の方へ）付勢され、それぞれの板ばね５６および５８の端部６８、７０、８０、および８２は、それぞれ座部１２０および１２２内に位置して、板ばね５６および５８が座部６２、６４、７４、または７６へ復帰するのを防止または実質上防止し、それによって活動状態についた後に質量部材３０が非活動位置５０へ復帰する（維持された継続状態で）のをさらに防止または実質上防止する。
【００１９】
図８は、本開示の一実施形態による表示器１０の質量部材３０の一実施形態を示す図である。いくつかの実施形態では、質量部材３０は、表示器１０の活動化状態を表示するためのディスプレイ要素として機能する。たとえば、図８では、窓２２（図１Ａ）を通じて外側に面する質量部材３０の表面１３０が示されている。図示の実施形態では、表面１３０は、非活動表面部分１３２と、活動表面部分１３４および１３６とを含む。表面部分１３２、１３４、および１３６はそれぞれ、表示器１０の非活動状態または活動状態において、窓２２を通じて視覚的に露出される異なる色、マーキング、または他のタイプの印を含むことができる。たとえば、非活動表面部分１３２は、質量部材３０のうち、質量部材３０が非活動位置５０に位置するときに窓２２を通じて見える表面部分を含む。活動表面部分１３６は、質量部材３０のうち、質量部材３０が活動位置９６（たとえば、図２Ａおよび図２Ｂ）に位置するときに窓２２を通じて見える表面部分を含み、活動表面部分１３４は、質量部材３０のうち、質量部材３０が活動位置１１６（たとえば、図４Ａおよび図４Ｂ）に位置するときに窓２２を通じて見える表面部分を含む。いくつかの実施形態では、表面部分１３２、１３４、および１３６は、表示器１０が非活動状態であるか、それとも活動状態（すなわち、表示器１０が何らかの所定のレベルまたは大きさの衝撃または加速イベントを被ったことを表示する活動状態）であるかを視覚的に表示するカラー・コードを含む。たとえば、表面部分１３２は白色を含むことができ、表面部分１３４および１３６は赤色を含むことができる。したがって、非活動状態では、表面部分１３２の白色が窓２２内に見えるはずである。活動状態では（受けた加速イベントの方向および／または数量に応じて）、表面部分１３４または１３６の１つに対応する赤色が窓２２を通じて見えるはずである。この実施形態では、一例として単一の窓２２（たとえば、質量部材３０に対する非活動位置５０に対応する位置に配置された単一の窓２２）が使用されている。しかし、異なる窓の数量および／または配置を使用できることを理解されたい。たとえば、いくつかの実施形態では、２つの窓を利用することができ、各窓は、質量部材３０の活動位置に対応する（たとえば、１つの窓は、質量部材３０に対する活動位置９６に対応する位置に位置し、別の窓は、質量部材３０の活動位置１１６に対応する位置に位置する）。この例では、表面部分１３４および１３６のカラー・コーディングを省略することができる（たとえば、活動位置９６または活動位置１１６に対応して窓を通じて見えるはずの表面部分１３２を赤色または他の所望の色にカラー・コーディングする）。
【００２０】
図８に示す実施形態では、表面部分１３２、１３４、および／または１３６は、表示器１０の活動化または衝撃状態を表示するために、バーコードまたは他のタイプの印（たとえば、数字コード、英数字コード、もしくは他のタイプの符号化された印など）を含むことができる（たとえば、人間には知覚できないが機械には知覚できる、符号化できる状態識別子など）。たとえば、図示の実施形態では、表面部分１３２は、「ＳＷ０８７６５４３２１」というコード／印を表すバーコードの印１４０を含み、表面部分１３４および１３６は、「ＳＷ１８７６５４３２１」というコード／印をそれぞれ表すバーコードの印１４２および１４４を含む。いくつかの実施形態では、表面部分１３２、１３４、および１３６はそれぞれ、同じ色（または異なる色の省略）を含むことができる。バーコードの印１４０、１４２、および１４４は、製造者情報、シリアル番号情報、および状態情報に対応する情報を含むことができる。たとえば、図示の実施形態では、最初の２つの文字／桁を使用して、製造者または会社情報を識別することができ、第３の文字／桁を使用して、活動化状態を表示することができ、残りの文字／桁を使用して、シリアル番号情報を表示することができる。バーコードまたは他のタイプの符号化された印の様々な文字／桁は、異なるタイプの情報を表すように変更できることを理解されたい。いくつかの実施形態では、様々な文字／桁または他のタイプの符号化された印は、符号化された印によって表される情報のタイプおよび／または特有の詳細に関して、人間には知覚および／または解読できないものとすることができる。したがって、この例では、印１４０内の「０」という第３の文字／桁は非活動状態を表示し、印１４２および１４４内の「１」という第３の文字／桁は表示器１０の活動状態を表示する。図９Ａおよび図９Ｂは、表示器１０の活動化状態を表示するバーコードの印１４０、１４２、および１４４の利用を示す図である。図８および図９Ａを参照すると、非活動状態（たとえば、何らかの所定のレベルまたは大きさの衝撃／加速を被り、かつ／または経験する前）では、印１４０が窓２２を通じて見える。図８および図９Ｂを参照すると、何らかの所定のレベルまたは大きさの衝撃／加速を受け、かつ／または被った後、印１４２または１４４が窓２２を通じて見えるはずである。図９Ｂに示す実施形態では、方向１６の加速イベントを受けたことに応答して、たとえば、印１４４が窓２２内に見える。
【００２１】
図１０は、本開示の一実施形態による表示器１０の質量部材３０の別の実施形態を示す図である。図１０では、窓２２（図１Ａ）を通じて外側に面する質量部材３０の表面１３０が示されている。図１０に示す実施形態では、表面部分１３２、１３４、および１３６はそれぞれ、表示器１０の活動状態における衝撃／加速の方向の表示を提供するために、窓２２を通じて視覚的に露出される異なる色、マーキング、または他のタイプの印を含むことができる。たとえば、表面部分１３２は白色を含むことができ、表面部分１３４は黄色を含むことができ、表面部分１３６は赤色を含むことができる。したがって、非活動状態では、表面部分１３２の白色が窓２２内に見えるはずである。活動状態では、方向１６の何らかの所定のレベルまたは大きさの衝撃／加速を受けたことに応答して、表面部分１３６の赤色が窓２２を通じて見えるはずである。活動状態では、方向１８の何らかの所定のレベルまたは大きさの衝撃／加速を受けたことに応答して、表面部分１３４の黄色が窓２２を通じて見えるはずである。したがって図示の実施形態では、質量部材３０は、表示器１０の活動状態および／または受けた場合は衝撃の方向を表示するディスプレイ要素として機能する。したがって、表示器１０は、衝撃イベントならびにその衝撃イベントの方向を表示するように構成することができる。
【００２２】
図１０に示すように、表面部分１３２、１３４、および１３６はまた、衝撃イベントの方向を表示するために、バーコードまたは他のタイプの符号化された印を含むことができる（たとえば、人間には知覚／判読できないが機械には知覚／判読できる、符号化できる状態および／または方向識別子など）。たとえば、図示の実施形態では、表面部分１３２は、「ＳＷ０８７６５４３２１」というコード／印を表すバーコードの印１５０を含み、表面部分１３４は、「ＳＷ２８７６５４３２１」というコード／印を表すバーコードの印１５２を含み、表面部分１３６は、「ＳＷ１８７６５４３２１」というコード／印を表すバーコードの印１５４を含む。いくつかの実施形態では、表面部分１３２、１３４、および１３６はそれぞれ、同じ色（または異なる色の省略）を含むことができる。この実施形態では、第３の文字／桁を使用して、活動化の状態、および活動している場合、受けた衝撃の方向を表示する。たとえば、印１５０内の「０」という第３の文字／桁は、非活動状態を表示する。印１５４が窓２２内に見える場合、印１５４内の「１」という第３の文字／桁は、表示器１０の活動状態、および表示器１０が方向１６の加速イベントを受けたことを表示する。印１５２が窓２２内に見える場合、印１５２内の「２」という第３の文字／桁は、表示器１０の活動状態、および表示器１０が方向１８の加速イベントを受けたことを表示する。したがって、表示器１０は、衝撃イベント状態と、受けた衝撃イベントの方向表示との両方を表示するように構成することができる。バーコードの印ではなく、英字、数字、英数字、または他のタイプの暗号化および／または符号化された印を使用して、衝撃イベント状態および／または受けた衝撃イベントの方向表示を表示することができ、その結果、印は人間が知覚できるが、鍵または他の復号情報がなければ、この印を容易に解読および／または判読できないことを理解されたい。たとえば、バーコード以外の形式の「ＳＷ０８７６５４３２１」などのコードの印を使用することができる。
【００２３】
図１１は、本開示による表示器１０の質量部材３０の別の実施形態を示す図であり、図１２Ａおよび図１２Ｂは、表示器１０の別の実施形態を示す図であり、図１１に示す質量部材３０の実施形態を利用する２つの状態窓２２（窓２２１および２２２として識別）を有する。図１１では、質量部材３０の表面１３０は、非活動表面部分１６０および１６２と、活動表面部分１６４とを含む。表面部分１６０、１６２、および１６４は、表示器１０の非活動状態または活動状態において、窓２２１および／または２２２を通じて視覚的に露出される異なる色、マーキング、または他のタイプの印を含むことができる。たとえば、活動表面部分１６４は、質量部材３０のうち、質量部材３０が活動位置９６（図２Ｂおよび図１１Ｂ）に位置するときに窓２２１を通じて見え、質量部材３０が活動位置１１６（図４Ａ）に位置するときに窓２２２を通じて見える表面部分を含む。非活動状態（たとえば、非活動位置５０（図１Ｂ））では、表面部分１６０および１６２は、それぞれの窓２２１および２２２を通じて見える。したがって、図１２Ａを参照すると、活動化前、または何らかの所定のレベルもしくは大きさの加速イベントを被る前は、表面部分１６０および１６２が、それぞれの窓２２１および２２２を通じて見える。何らかの所定のレベルまたは大きさの加速イベントを受けたことに応答して、質量部材３０の移動により、表面部分１６２が窓２２１または２２２の１つ（衝撃イベントの方向に応じる）を通じて見えるようになる。たとえば図１２Ｂでは、方向１６の衝撃イベントに応答して、表面部分１６４が、窓２２１を通じて見えるようになる。
【００２４】
したがって、表示器１０は、異なるタイプの視覚的な活動化状態表示を提供するように、様々な形で構成することができる。たとえば、いくつかの実施形態では、窓（複数可）２２を介して表示器１０の状態の視覚的な表示を提供するために、色ベースのディスプレイ要素またはバーコードもしくは他のタイプの印を有するディスプレイ要素を、質量部材３０とは別個に独立して提供することができる。たとえば、いくつかの実施形態では、ばね部材４０および／または４２は、表示器１０の活動化に応答して窓（複数可）２２内で摺動、移動、および／または別の方法で位置する質量部材３０以外の別の要素に結合することができる。別の実施形態では、ばね部材４０および／または４２は、表示器１０の活動化に応答して窓（複数可）２２の領域内へ摺動、平行移動、または枢動するラッチ機構、枢動部材／要素、または他のタイプの構造にさらに結合することができる。さらに他の実施形態では、筐体１２は、質量部材３０がそれぞれの活動位置９６および１１６内へ移動したことに応答して窓（複数可）２２の領域内へ摺動、平行移動、または枢動する活動位置９６および１１６の近傍に位置する１つまたは複数の表示器／ディスプレイ要素を含むことができる。表示器１０はまた、表示器１０の活動化に応答して窓（複数可）２２内で視覚的な表示を引き起こすスイッチまたは他のタイプの電子モジュールを含むことができる。たとえば、いくつかの実施形態では、表示器１０は、衝撃検出状態、衝撃の方向、および／または他のタイプ（複数可）の情報（たとえば、製造者、シリアル番号など）を表示する色、バーコード、または他のタイプの印もしくはコードを表すように窓（複数可）２２内に位置決めされ、または別の方法で筐体１２上に位置するスイッチ、電源、および液晶ディスプレイ（ＬＣＤ）、または他のタイプの電子ディスプレイ要素を含むことができる。一例として、表示器１０は、活動化位置９６もしくはその付近に位置するスイッチ要素、および／または活動化位置１１６もしくはその付近に位置するスイッチ要素を含むことができ、質量部材３０がスイッチ要素に接触したことに応答して、色、バーコード、または他のタイプの印もしくはコードがディスプレイユニット上で変更または表される。この例では、たとえばバーコードの印を使用して、ディスプレイユニットは、最初に１つのバーコードの印を表し、衝撃を検出したことに応答してこのバーコードの印を電子的に変化させることができる（衝撃の方向に基づいて異なるバーコードを含む）。したがって、様々な構造および／または方法を使用して衝撃検出および／または衝撃方向を表示できることを理解されたい。
【００２５】
たとえば図１Ａ、図１Ｂ、図２Ａ、および図２Ｂに示す実施形態では、２つのばね部材４０および４２を使用して、質量部材３０を非活動状態または位置５０で保持し（少なくとも最初）、衝撃イベントが表示器１０の活動化を引き起こした後に質量部材３０が非活動位置５０に再設置されるのを防止する。しかし、ばね部材の数量はより多くてもより少なくてもよいことを理解されたい。たとえば、いくつかの実施形態では、表示器１０は、単方向の質量部材３０の移動（たとえば、方向１６）向けに構成することができる。この実施形態では、たとえば、筐体１２は、質量部材３０が非活動位置５０から活動位置９６へのみ移動するように、質量部材３０の追加の壁または増大させた長さを有するように構成することができる。この実施形態では、たとえば、ばね部材４２が質量部材３０を非活動位置で保持する一方、ばね部材４０を省略することができる。ばね部材４２の保持力に打ち勝つのに十分な大きさの方向１６の加速イベントに応答して、質量部材３０は活動位置９６へ移動し、板ばね５８の端部７０および８２は座部６４および７６から引き出されて窪み領域１０２および１０４（または座部１２０および１２２）に入り、その後、質量部材３０を活動位置９６に保持する。また、質量部材３０の形状および／または構成は変動しうることを理解されたい。たとえば、壁８８および９０ではなく、質量部材３０は、ばね部材４０および４２の１つまたは複数が力を加えることができる支持表面を提供するために、ポストまたは他のタイプの表面特徴を備えることができる。
【００２６】
いくつかの実施形態では、ばね部材４０および／または４２は、表示器１０が所定のレベルもしくは大きさの衝撃／加速を経験するまで、および／または所定のレベルもしくは大きさの衝撃／加速を経験しない限り、質量部材３０を特定の位置（たとえば、非活動位置５０および／または活動位置９６／１１６）で付勢し、かつ／または別の方法で保持するように、選択され、かつ／または別の方法で構成される。たとえば、衝撃表示器１０は、質量部材３０の特定の重量を設定すること、ばね部材４０／４２の特定の厚さおよび／または材料を選択／構成することなどによって、様々なレベルの衝撃または加速の活動化に対して構成することができる。たとえば、いくつかの実施形態では、ばね部材４０／４２は、所望の温度スペクトルにわたって実質上一定のばね張力を維持できるポリマー材料（たとえば、Ｄｕｒａｌａｒ（登録商標）材料など）から構成することができ、それによって、普通なら温度変化に起因しうる表示器１０の不注意による活動化を減少させることができる。
【００２７】
したがって、本開示の実施形態は、所定のレベルまたは大きさの衝撃が発生した後に衝撃表示器１０の状態の再設定を防止または実質上防止しながら、衝撃および／または加速イベントの検出を可能にする。たとえば、いくつかの実施形態では、表示器１０の質量部材３０は、加速イベントに応答して非活動位置から活動位置へ移動するように構成される。表示器１０が、表示器１０を非活動状態へ再設定しようとして生じうる加速イベント（たとえば、質量部材３０を逆方向へ移動させるのに十分なレベルまたは大きさ）を受けた場合、質量部材３０は、ある活動位置から別の活動位置へ移動する。さらに、ばね部材４０および／もしくは４２ならびに／または筐体１２は、表示器１０が活動した後に質量部材３０が非活動状態または位置に再設置されるのを防止または実質上防止するように構成される。
【００２８】
本明細書で使用される術語は、特定の実施形態について説明することのみを目的とし、本開示を限定しようとするものではない。本明細書では、単数形の「ａ」、「ａｎ」、および「ｔｈｅ」は、文脈上別途明示しない限り、複数形も同様に含むものとする。「含む、備える、構成する（ｃｏｍｐｒｉｓｅｓ）」および／または「含む、備える、構成する（ｃｏｍｐｒｉｓｉｎｇ）」という用語は、本明細書で使用されるとき、記載の特徴、整数、ステップ、動作、要素、および／または構成要素の存在を指定するが、１つまたは複数の他の特徴、整数、ステップ、動作、要素、構成要素、および／またはこれらの群の存在または追加を排除しないことがさらに理解される。
【００２９】
以下の特許請求の範囲におけるすべての手段またはステップ・プラス・ファンクション要素の対応する構造、材料、動作、および均等物は、具体的に請求される他の請求要素と組み合わせて、機能を実行する任意の構造、材料、または動作を含むものとする。本開示の説明は、例示および説明の目的で提示されるものであり、網羅的ではなく、または開示した形の本開示に限定されるものではない。本開示の範囲および精神から逸脱することなく、多くの修正形態および変形形態が当業者には明らかであろう。実施形態は、本開示の原理および実際の適用分野について最もよく説明するために、また企図される特定の用途に適した様々な修正形態とともに様々な実施形態に対する本開示を他の当業者であれば理解できるように、選択および記載した。
【図１Ａ】
0005771292.tif 000002
【図１Ｂ】
0005771292.tif 000003
【図２Ａ】
0005771292.tif 000004
【図２Ｂ】
0005771292.tif 000005
【図３Ａ】
0005771292.tif 000006
【図３Ｂ】
0005771292.tif 000007
【図４Ａ】
0005771292.tif 000008
【図４Ｂ】
0005771292.tif 000009
【図５Ａ】
0005771292.tif 000010
【図５Ｂ】
0005771292.tif 000011
【図６】
0005771292.tif 000012
【図７Ａ】
0005771292.tif 000013
【図７Ｂ】
0005771292.tif 000014
【図８】
0005771292.tif 000015
【図９Ａ】
0005771292.tif 000016
【図９Ｂ】
0005771292.tif 000017
【図１０】
0005771292.tif 000018
【図１１】
0005771292.tif 000019
【図１２Ａ】
0005771292.tif 000020
【図１２Ｂ】
0005771292.tif 000021